(57)【要約】      （修正有）【課題】静電気から保護すべき回路に直接静電気が飛び込んで誤動作や回路破壊を引き起こす事態を有効に防止するとともに、そのためのコストおよび工数を僅かなものとした携帯型電子機器を提供する。【解決手段】筐体３またはその筐体に嵌着される外装を構成する複数の部材３ａ，３ｂ，３ｄと、筐体３内に収容された電子回路６，１０，１１，１２と、筐体３内に収容されて複数の部材のうち互いに嵌合する二つの部材３ａと３ｂ、３ｂと３ｄのそれぞれの嵌合部の内側に配置され、電子回路に接続されたフレキシブル配線基板８とを備え、フレキシブル配線基板８が、電子回路のうち静電気から保護すべき回路１１，１２の近傍に配置されるグランド部Ｇ１，Ｇ２を有する構成とする。【選択図】図１
2008078386.tif 000002
【特許請求の範囲】
【請求項１】
複数の部材から構成される筐体と、
前記筐体内に収容された電子回路と、
前記筐体内に収容されるとともに、当該筐体を構成する前記複数の部材のうち互いに嵌合する二つの部材の嵌合部の内側に配置され、前記電子回路に接続されたフレキシブル配線基板と、
を備え、
前記フレキシブル配線基板が、前記電子回路のうち静電気から保護すべき回路の近傍に配置されるグランド部を有する、携帯型電子機器。
【請求項２】
前記フレキシブル配線基板の、前記グランド部が形成された面と反対の面側に、前記静電気から保護すべき回路が位置している、請求項１記載の携帯型電子機器。
【請求項３】
前記フレキシブル配線基板は、前記グランド部が配置された屈曲部を有し、
前記屈曲部は、前記静電気から保護すべき回路を覆うように配置されている、請求項１または２記載の携帯型電子機器。
【請求項４】
前記静電気から保護すべき回路は、ＲＦＩＤチップを含む、請求項１から３までの何れか１項に記載の携帯型電子機器。
【請求項５】
前記静電気から保護すべき回路は、ＩｒＤＡの発光部と受光部とを含む、請求項１から４までの何れか１項に記載の携帯型電子機器。
【請求項６】
前記フレキシブル配線基板は、信号線を有する信号線層と、グランド部を有するグランド層と、表層とを備え、
前記グランド層は、前記信号線を覆う幅を有し、
前記表層は、一部除去されて前記グランド層を少なくとも部分的に露出させている、請求項１から５までの何れか１項に記載の携帯型電子機器。
【請求項７】
前記グランド部は、前記フレキシブル配線基板の信号線を覆うようにそのフレキシブル配線基板の表面上に設けられた導電部により形成される、請求項１から６までの何れか１項に記載の携帯型電子機器。
【発明の詳細な説明】
【技術分野】
【０００１】
この発明は、複数の部材から構成される筐体と、筐体内に収容された電子回路と、筐体内に収容されるとともに、当該筐体を構成する複数の部材のうち互いに嵌合する二つの部材の嵌合部の内側に配置され、電子回路に接続されたフレキシブル配線基板と、を備える携帯型電子機器に関するものである。
【背景技術】
【０００２】
上記の如き携帯型電子機器としては例えば携帯電話機が知られており、従来の携帯電話機は、例えば液晶側筐体と、例えば文字入力側筐体とを備えて構成され、それら液晶側筐体と文字入力側筐体とがヒンジ部等の連結機構により連結されており、それら液晶側筐体や文字入力側筐体内に収容された回路基板上に実装された電子部品とその回路基板から離れた電子部品との電気的接続には、フレキシブル配線基板も用いられ（例えば特許文献１参照）、そのフレキシブル配線基板は、筐体を構成するフロントケースおよびリアケースや、筐体およびそこに嵌着される外装としてのカバー等の互いに嵌合する二つの部材の嵌合部の内側に配置される場合がある。
【０００３】
ところで、かかる携帯電話機において、筐体を構成するフロントケースとリアケースとの嵌合部や筐体とそこに嵌着されるカバーとの嵌合部等の、筐体を構成する複数の部材のうち互いに嵌合する二つの部材の嵌合部の内側近辺に、筐体内の電子回路のうち静電気から保護すべき回路が存在する場合があり、このような場合の静電気対策としては、回路基板のエッジに沿ってグランドパターンを設け、回路基板の回路パターン面を保護するレジスト層を一部剥がしてそのグランドパターンを露出させたり、上記嵌合部付近の筐体裏面に蒸着や導電塗装等を施すか金属テープや板金部材等を配置して導電体を設け、筐体を構成するフロントケースとリアケースとを嵌合させた際にそれらの導電体を回路基板のグランドパターンに設けた弾性タブ等に接触させたりして、上記嵌合部を通過して外部から筐体内に進入する静電気をグランドパターンや上記導電体に誘導し、静電気から保護すべき回路への静電気の飛込みを防止していた。
【特許文献１】特開２００５−０５１４３０号公報
【発明の開示】
【発明が解決しようとする課題】
【０００４】
しかしながら、上記前者のように、回路基板のエッジに沿ってグランドパターンを設ける場合には、嵌合部と回路基板のエッジとの高さが一致するかまたはそのエッジ付近の静電気から保護すべき回路の高さと比較して充分近ければ、想定通り静電気をグランドパターンに誘導できるが、構造上嵌合部と回路基板のエッジとの高さにずれがあったり、回路基板のエッジ付近に背の高い部品があってその部品が嵌合部に接近していたり、回路基板の上方に嵌合部が位置したりすると、回路基板のエッジに沿って設けたグランドパターンに静電気を誘導できず、静電気から保護すべき回路に直接静電気が飛び込んで、誤動作や回路破壊を引き起こすという問題があった。
【０００５】
また、上記後者のように、嵌合部付近の筐体裏面に蒸着や導電塗装等を施すか金属テープや板金部材等を配置して導電体を設け、筐体を構成するフロントケースとリアケースとを嵌合させた際にそれらの導電体を回路基板のグランドパターンに設けた弾性タブ等に接触させる場合には、製造のためのコストおよび工数が嵩むという問題があった。
【課題を解決するための手段】
【０００６】
この発明は、上記課題を有利に解決することを目的とするものであり、この発明の携帯型電子機器は、複数の部材から構成される筐体と、前記筐体内に収容された電子回路と、前記筐体内に収容されるとともに、当該筐体を構成する前記複数の部材のうち互いに嵌合する二つの部材の嵌合部の内側に配置され、前記電子回路に接続されたフレキシブル配線基板と、を備え、前記フレキシブル配線基板が、前記電子回路のうち静電気から保護すべき回路の近傍に配置されるグランド部を有することを特徴としている。
【発明の効果】
【０００７】
この発明の携帯型電子機器にあっては、筐体を構成する複数の部材うち互いに嵌合する二つの部材の嵌合部の内側に配置され、筐体内の電子回路に接続されたフレキシブル配線基板が、その電子回路のうち静電気から保護すべき回路の近傍に配置されるグランド部を有するので、上記嵌合部を通過して外部から筐体内に進入する静電気が、そのフレキシブル配線基板のグランド部に誘導される。
【０００８】
従って、この発明の携帯型電子機器によれば、静電気から保護すべき回路に直接静電気が飛び込んで誤動作や回路破壊を引き起こす事態を有効に防止することができる。しかも嵌合部付近の筐体裏面に蒸着や導電塗装等を施すか金属テープや板金部材等を配置して導電体を設けたり、回路基板のグランドパターンに弾性タブ等を設けてそれらの導電体を接触させたりする必要がないので、静電気を誘導する構造の製造のためのコストおよび工数を僅かなものとすることができる。
【発明を実施するための最良の形態】
【０００９】
以下、本発明の実施の形態を実施例によって、図面に基づき詳細に説明する。ここに、図１は、この発明の携帯型電子機器の一実施例としての折り畳み式携帯電話機の文字入力側筐体の構造を示す、図２中のＡ−Ａ線に沿う断面図、図２は、上記実施例の携帯電話機の外観を液晶側筐体と文字入力側筐体とを相互に閉じた状態で文字入力側筐体側から見て示す斜視図、図３は、上記実施例の携帯電話機の文字入力側筐体の構造を示す分解斜視図、そして図４は、上記実施例の携帯電話機の文字入力側筐体内のキーＦＰＣを展開して示す平面図であり、図中符号１は、上記実施例の携帯電話機を示す。
【００１０】
この実施例の携帯電話機１は、液晶側筐体２と文字入力側筐体３とを備え、液晶側筐体２は、フロントケース２ａとリアケース２ｂとが相互に嵌合固定されて構成され、文字入力側筐体３は、フロントケース３ａとリアケース３ｂとが相互に嵌合されるとともにネジで固定されて構成されており、液晶側筐体２と文字入力側筐体３とは、連結機構としてのヒンジ部４を介して相互に開閉自在とされている。
【００１１】
液晶側筐体２は、フロントケース２ａとリアケース２ｂとの内部に図示しない基板を内蔵し、その基板の表面に設置された図示しない液晶表示ユニットがフロントケース２ａから表出している。またその基板には、スピーカ等の各種電子部品が実装されて電気的に接続されている。一方、文字入力側筐体３は、フロントケース３ａとリアケース３ｂとの内部に電池収納部５を持つとともに回路基板６を内蔵し、その回路基板６の表面（図１では下面）に金属フレーム７を介して、複数のキースイッチを搭載してキー基板を構成するキーフレキシブル基板（キーＦＰＣ）８が支持され、そのキーＦＰＣ８上に重ねて設置されたキーボタンシート９がフロントケース３ａから表出している。またその回路基板６には、マイク等の各種電子部品が実装されて電気的に接続されている。
【００１２】
文字入力側筐体３内には、回路基板６のリアケース３ｂに向く側の面（図１では上側の面）に重ねてサブ基板１０が配置され、そのサブ基板１０上には、例えば携帯電話機を用いた支払いサービスである「フェリカ（商標）」用等のＲＦＩＤチップ１１が搭載されるとともに、赤外線通信（ＩｒＤＡ）用の発光部１２ａと受光部１２ｂとを持つ赤外線通信チップ１２も搭載されており、それらのチップ１１，１２は、文字入力側筐体３のフロントケース３ａとリアケース３ｂとの嵌合部３ｃに近接して位置している。
【００１３】
さらに文字入力側筐体３のリアケース３ｂの、サブ基板１０に対向する位置（図１では上方の位置）には、図示しない開口部が設けられ、その開口部を覆うようにリアケース３ｂには、図１乃至図３に示す如く、外装としてのカバー３ｄが嵌着されており、このカバー３ｄには、赤外線通信チップ１２の発光部１２ａと受光部１２ｂとが外部の機器と赤外線通信を行うための赤外線透過窓３ｅが設けられている。なお、本明細書では、外装としてのカバー３ｄや赤外線透過窓３ｅも、携帯電話機の筐体を構成する部材と考える。
【００１４】
さらにキーＦＰＣ８は、図４に展開して示すように、回路基板６との電気的接続用のコネクタ８ａを持つ第１延長部８ｂの他、サブ基板１０との電気的接続用のコネクタ８ｃを持つ屈曲部としての略逆Ｌ字状の第２延長部８ｄを有しており、図３に示すように、第１延長部８ｂは一回屈曲されてコネクタ８ａを回路基板６に向けられ、そのコネクタ８ａを回路基板６の図３では下面の図示しないコネクタに接続される。また第２延長部８ｄは逆Ｌ字の図４では水平な腕部の先端部を図４では向こう側に折曲されてコネクタ８ｃを向こう向きにされるとともに、逆Ｌ字の図４では垂直な脚部を図３に示すように二回屈曲されて断面コ字状にされることでコネクタ８ｃをサブ基板１０に向けられて、そのコネクタ８ｃをサブ基板１０の図３では上面上のコネクタ１３に接続される。
【００１５】
しかしてこの実施例の携帯電話機１では、このキーＦＰＣ８の第２延長部８ｄを利用して静電気を誘導する構造が構成されている。すなわち、キーＦＰＣ８の第２延長部８ｄの図４では向こう（紙面の下方）に向く側の面には、複数本の信号線を有する導電体のパターンからなる図示しない信号線層が形成され、またその第２延長部８ｄの図４では手前（紙面の上方）に向く側の面には、逆Ｌ字の図４では水平な腕部の基部を覆う略矩形のグランド部Ｇ１と、逆Ｌ字の図４では垂直な脚部の上部を覆う略矩形のグランド部Ｇ２とを有する導電体のパターンからなるグランド層が形成され、そのグランド層は上記複数本の信号線を覆う幅を有するとともに第２延長部８ｄの図示しないスルーホール内の導電体を介してそれらの信号線のうちのグランド線に電気的に接続されて、回路基板６のグランドパターンに電気的に接続される。
【００１６】
さらに、キーＦＰＣ８の第２延長部８ｄの上記信号線層およびグランド層はそれぞれ、絶縁体からなる表層としてのレジスト層で覆われているものの、グランド部Ｇ１とグランド部Ｇ２とを覆う部分のみはそのレジスト層が除去されており、これによりグランド層のうちグランド部Ｇ１とグランド部Ｇ２とは露出している。そして、図１に示すように、グランド部Ｇ１はサブ基板１０上のＲＦＩＤチップ１１および赤外線通信チップ１２よりもリアケース３ｂの上記開口部とカバー３ｄとの嵌合部、およびカバー３ｄと赤外線透過窓３ｅとの嵌合部に近接して位置し、またグランド部Ｇ２はサブ基板１０上のＲＦＩＤチップ１１および赤外線通信チップ１２よりもフロントケース３ａとリアケース３ｂとの嵌合部３ｃに近接して位置している。
【００１７】
かかるこの実施例の携帯電話機１にあっては、それぞれ文字入力側筐体３を構成する、フロントケース３ａとリアケース３ｂとの嵌合部３ｃ、そのリアケース３ｂの開口部とカバー３ｄとの嵌合部、およびカバー３ｄと赤外線透過窓３ｅとの嵌合部の内側に配置され、文字入力側筐体３内の回路基板６およびサブ基板１０に接続されたキーＦＰＣ８が、回路基板６から離間したサブ基板１０上の、静電気から保護すべきＲＦＩＤチップ１１および赤外線通信チップ１２の近傍に、そのサブ基板１０を囲むように屈曲された第２延長部８ｄのグランド部Ｇ１，Ｇ２を配置するので、上記各嵌合部を通過して外部から文字入力側筐体３内に進入する静電気が、そのキーＦＰＣ８のグランド部Ｇ１，Ｇ２に誘導される。また、カバー３ｄと赤外線透過窓３ｅとの間から進入する静電気も、キーＦＰＣ８のグランド部Ｇ１に誘導される。
【００１８】
従って、この実施例の携帯電話機１によれば、静電気から保護すべきＲＦＩＤチップ１１および赤外線通信チップ１２やその近傍の回路に直接静電気が飛び込んで誤動作や回路破壊を引き起こす事態を有効に防止することができる。しかも上記各嵌合部付近の筐体裏面に蒸着や導電塗装等を施すか金属テープや板金部材等を配置して導電体を設けたり、回路基板６のグランドパターンに弾性タブ等を設けてそれらの導電体を接触させたりする必要がないので、静電気を誘導する構造の製造のためのコストおよび工数を僅かなものとすることができる。
【００１９】
また、この実施例の携帯電話機１によれば、キーＦＰＣ８の、グランド部Ｇ１，Ｇ２が形成された面と反対の面側に、静電気から保護すべきＲＦＩＤチップ１１および赤外線通信チップ１２やその近傍の回路が位置しているので、上記各嵌合部を通過して外部から文字入力側筐体３内に進入する静電気を、そのキーＦＰＣ８のグランド部Ｇ１，Ｇ２に、より確実に誘導することができる。
【００２０】
さらに、この実施例の携帯電話機１によれば、キーＦＰＣ８は、グランド部Ｇ１，Ｇ２が配置された屈曲部としての第２延長部８ｄを有し、その第２延長部８ｄは、静電気から保護すべきＲＦＩＤチップ１１および赤外線通信チップ１２やその近傍の回路を覆うように配置されているので、上記各嵌合部を通過して外部から文字入力側筐体３内に進入する静電気を、そのキーＦＰＣ８のグランド部Ｇ１，Ｇ２に、より確実に誘導することができる。
【００２１】
さらに、この実施例の携帯電話機１によれば、キーＦＰＣ８の第２延長部８ｄは、信号線を有する信号線層と、グランド部Ｇ１，Ｇ２を有するグランド層と、表層としてのレジスト層とを有し、そのグランド層は、上記信号線を覆う幅を有し、レジスト層は、一部除去されて上記グランド層のグランド部Ｇ１，Ｇ２の部分を露出させているので、静電気を誘導する構造を簡易に構成することができる。
【００２２】
そして、この実施例の携帯電話機１によれば、グランド部Ｇ１，Ｇ２は、キーＦＰＣ８の第２延長部８ｄの信号線を覆うようにその第２延長部８ｄの表面上に設けられた導電体パターンにより形成されているので、キーＦＰＣ８の第２延長部８ｄの信号線も、静電気から保護することができる。
【００２３】
以上、図示例に基づき説明したが、この発明は上述の例に限定されるものでなく、特許請求の範囲の記載範囲内で適宜変更し得るものであり、例えば静電気から保護すべき回路は、回路基板６上に実装された背の高い部品でも良く、また液晶側筐体２のフロントケース２ａとリアケース２ｂとの嵌合部の近傍の回路でも良い。
【００２４】
そしてこの発明は、折り畳み式だけでなく水平回転式や二軸ヒンジ式の携帯電話機にも適用でき、さらには携帯電話機以外の、例えばパームトップコンピュータ等の携帯型電子機器にも適用することができる。
【産業上の利用可能性】
【００２５】
かくしてこの発明の携帯型電子機器によれば、静電気から保護すべき回路に直接静電気が飛び込んで誤動作や回路破壊を引き起こす事態を有効に防止することができる。しかも嵌合部付近の筐体裏面に蒸着や導電塗装等を施すか金属テープや板金部材等を配置して導電体を設けたり、回路基板のグランドパターンに弾性タブ等を設けてそれらの導電体を接触させたりする必要がないので、静電気を誘導する構造の製造のためのコストおよび工数を僅かなものとすることができる。
【図面の簡単な説明】
【００２６】
【図１】この発明の電子機器の一実施例としての折り畳み式携帯電話機の文字入力側筐体の構造を示す、図２中のＡ−Ａ線に沿う断面図である。
【図２】上記実施例の携帯電話機の外観を液晶側筐体と文字入力側筐体とを相互に閉じた状態で文字入力側筐体側から見て示す斜視図である。
【図３】上記実施例の携帯電話機の文字入力側筐体の構造を示す分解斜視図である。
【図４】上記実施例の携帯電話機の文字入力側筐体内のキーＦＰＣを展開して示す平面図である。
【符号の説明】
【００２７】
１  携帯電話機
２  液晶側筐体（筐体）
２ａ，３ａ  フロントケース（筐体）
２ｂ，３ｂ  リアケース（筐体）
３  文字入力側筐体（筐体）
３ｃ  嵌合部
３ｄ  カバー（筐体）
３ｅ  赤外線透過窓（筐体）
４  ヒンジ部
５  電池収納部
６  回路基板
７  金属フレーム
８  キーＦＰＣ（フレキシブル配線基板）
８ａ，８ｃ  コネクタ
８ｂ  第１延長部
８ｄ  第２延長部
９  キーボタンシート
１０  サブ基板
１１  ＲＦＩＤチップ
１２  赤外線通信チップ
１２ａ  発光部
１２ｂ  受光部
１３  コネクタ
Ｇ１，Ｇ２  グランド部
【図１】
2008078386.tif 000003
【図２】
2008078386.tif 000004
【図３】
2008078386.tif 000005
【図４】
2008078386.tif 000006